(57)【要約】【課題】  立体視された画像が、観察角度を変化させることに伴い形状が変化する立体画像発現構造及びその構造を用いた形状変化印刷物を提供する。【解決手段】  本発明は、原画像を複数の領域に分割し、各領域内には画線幅が等しい画線群が配列され、同一方向に向かって順次画線幅が細くなっていくように各領域を配置した形状変化画線群と、透明又は半透明のフィルタ画線を万線状に配置したフィルタ画線群から成る立体画像発現構造であって、形状変化画線群とフィルタ画線群を重ね合わせて観察角度を連続的に変化させると、画像の形状が変化して視認できる立体画像発現構造であるである。【選択図】  図８
2016093888.tif 000002
【特許請求の範囲】
【請求項１】
原画像が第１の方向に対して複数の領域に分割され、前記複数の領域に対して、前記第１の方向又は前記第１の方向と垂直の第２の方向に前記原画像を分割した形状変化画線が万線状に所定のピッチで配置された形状変化画線群と、
透明又は半透明のフィルタ画線が万線状に前記所定のピッチで配置されたフィルタ画線群とを含むセキュリティ印刷物を認証するための立体画像発現構造であって、
前記形状変化画線群は、第１の画線幅の第１の画線が複数配置された第１の画線群と、前記第１の画線幅より細い第２の画線幅の第２の画線が複数配置された第２の画線群と、・・・、前記第（ｎ−２）の画線幅より細い第（ｎ−１）の画線幅の第（ｎ−１）の画線が複数配置された第（ｎ−１）の画線群と、前記第（ｎ−１）の画線幅より細い第ｎの画線幅の第ｎの画線が複数配置された第ｎの画線群（ｎは３以上の整数）が前記複数の領域に各々対応して配置されて成り、
前記第１の画線群から第ｎの画線群まで順次隣接して配置され、
前記形状変化画線群と前記フィルタ画線群とを重ね合わせて観察角度を変化させることにより、前記原画像の形状が変形して視認可能なことを特徴とする立体画像発現構造。
【請求項２】
前記第１の画線、前記第２の画線、・・・、前記第（ｎ−２）の画線、前記第（ｎ−１）の画線及び前記第ｎの画線の少なくとも二つの連続する画線が同一位相方向に隣接して配置されたことを特徴とする請求項１記載の立体画像発現構造。
【請求項３】
前記第１の画線、前記第２の画線、・・・、前記第（ｎ−２）の画線、前記第（ｎ−１）の画線及び前記第ｎの画線の各々の画線が、前記第１の方向又は前記第２の方向に滑らかに画線幅が異なって形成されたことを特徴とする請求項１又は２記載の立体画像発現構造。
【請求項４】
基材上の少なくとも一部に立体画像を備え、
前記立体画像は、明暗フリップフロップ性又はカラーフリップフロップ性の少なくともどちらか一方の特性を有する蒲鉾状画線が万線状に所定のピッチで配置された蒲鉾状画線群の上に、正反射時において前記蒲鉾状画線群の色彩とは異なる色彩を有し、原画像が第１の方向に対して複数の領域に分割され、前記複数の領域に対して前記第１の方向又は前記第１の方向と垂直の第２の方向に前記原画像を分割した形状変化画線が万線状に所定のピッチで配置された形状変化画線群が積層されており、
前記形状変化画線群は、第１の画線幅の第１の画線が複数配置された第１の画線群と、前記第１の画線幅より細い第２の画線幅の第２の画線が複数配置された第２の画線群と、・・・、前記第（ｎ−２）の画線幅より細い第（ｎ−１）の画線幅の第（ｎ−１）の画線が複数配置された第（ｎ−１）の画線群と、前記第（ｎ−１）の画線幅より細い第ｎの画線幅の第ｎの画線が複数配置された第ｎの画線群（ｎは３以上の整数）が前記複数の領域に各々対応して配置されて成り、
前記第１の画線群から第ｎの画線群まで順次隣接して配置され、
前記蒲鉾状画線群の少なくとも一部に、前記形状変化画線群の少なくとも一部が重なって形成され、
前記基材に対して観察角度を変化させて観察すると、前記立体画像が変形して視認可能なことを特徴とする形状変化印刷物。
【請求項５】
前記第１の画線、前記第２の画線、・・・、前記第（ｎ−２）の画線、前記第（ｎ−１）の画線及び前記第ｎの画線の少なくとも二つの連続する画線が同一位相方向に隣接して配置されたことを特徴とする請求項４記載の形状変化印刷物。
【請求項６】
前記第１の画線、前記第２の画線、・・・、前記第（ｎ−２）の画線、前記第（ｎ−１）の画線及び前記第ｎの画線の各々の画線が、前記第１の方向又は前記第２の方向に滑らかに画線幅が異なって形成されたことを特徴とする請求項４又は５記載の形状変化印刷物。
【発明の詳細な説明】
【技術分野】
【０００１】
本発明は、偽造防止効果を必要とする銀行券、パスポート、有価証券、身分証明書、カード及び通行券等のセキュリティ印刷物の分野において、画像に特定のフィルタを重ねながら観察角度を変化させることで、視認される画像の形状が変化する立体画像発現構造及び該立体画像発現構造を応用して作製する形状変化印刷物に関する。
【背景技術】
【０００２】
銀行券、パスポ−ト、有価証券及び身分証明書等に代表されるセキュリティ印刷物には、複製や偽造を防止するために、偽造防止技術が必要とされている。これらの偽造防止技術には、観察角度により画像がチェンジする技術や、一見しただけでは無意味な画像であるが、特定の認証具を用いて観察した場合に隠蔽されていた情報が再生される技術が存在する。
【０００３】
この観察角度を変化させることに伴い画像がチェンジする技術の一つとして、本出願人は、高光沢インクを用いた凸状の画線を複数規則的に配列し、その画線の一部に低光沢となるような段差を設けて第一の潜像画像を形成し、同じ画線内の異なる位置に、別の段差により第二の潜像画像を形成した光沢差を利用した潜像印刷物を既に出願している（例えば、特許文献１参照）。
【０００４】
特許文献１記載の技術は、観察角度を変化させることで明瞭に画像がチェンジするため、簡単に真偽判別が行える有用な技術であるが、近年の画期的な技術の進歩により、社会的には立体画像が主流になりつつあり、更なる視覚効果の向上を備えた偽造防止技術が求められていた。そこで、近年、立体的、かつ、動的に画像が視認できる偽造防止技術が開発されてきている。
【０００５】
このような偽造防止技術の一つに、「スクランブルイメージ」と呼ばれる技術が存在する。この技術は、図２４に示すように、図２４（ａ）に示すスクランブルイメージに図２４（ｂ）に示す特定のフィルタ画像を重ね合わせることで、図２４（ｃ）に示すようなスクランブルイメージ中に暗号化されていた原画像が再生される技術である。なお、図２４において原画像は「桜の花」を示している。実際にはセキュリティ印刷物にスクランブルイメージのみを印刷し、判別者が必要に応じてフィルタ画像を重ね合わせて原画像が再生されるかを確認し、セキュリティ印刷物の真偽を判別する形態で運用されている。この技術を用いた実際のセキュリティ印刷物の例としては、「スペイン１０００ペソ銀行券（１９９２年発行）」が存在し、銀行券の下部の彩紋に特定の線数のレンチキュラー（フィルタ画像（６）と同様な機能を果たす）を重ね合わせることで「ＢＡＮＣＯＤＥＥＳＰＡＮＡ」の文字が再生される。
【０００６】
図２５に示すようにスクランブルイメージは、原画像の一部が第１の方向（Ｓ１）に小さく分断された複数の潜像画線（３（１）、３（２）、３（３）・・・３（ｉ）・・・３（ｎ−１）、３（ｎ））の集合によって構成されている。このスクランブルイメージは、図２６に示すように、特定の幅（Ｍ２）のフレーム（１１）に収まった原画像（２）を取り出し、特定の縮率で一定の幅（Ｍ１）に圧縮し、それぞれの潜像画線（３）を特定のピッチ（Ｐ１）で均等に配置することで作製することができる。なお、原画像（４）をスクランブルイメージ化する最も容易な方法は、原画像（４）にレンチキュラーやマイクロレンズアレイを重ね合わせることであり、そのときサンプリングされた画像がスクランブルイメージとなる。再生にあたっては同じレンチキュラーをスクランブルイメージに重ね合わせれば良い。以上のように、スクランブルイメージとは、特定の原画像を分断・圧縮することで暗号化する技術である。
【０００７】
また、このスクランブルイメージを応用した偽造防止技術の一つに、拡散反射光下においては不可視であった原画像が、正反射光下において再生され、かつ観察角度を変化させることで再生された原画像が動いて見える、いわゆる、「動画的な視覚効果」を備えた動画再生型潜像印刷物（以下、「潜像印刷物」という。）が存在する（例えば、特許文献２参照）。
【０００８】
特許文献２の技術は、スクランブルイメージとフィルタ画像を一体化した技術であって、フィルタ画像と同じ模様を蒲鉾状の盛り上がりのある画線で形成し、その上にスクランブルイメージを重ねて形成する。一般的なスクランブルイメージと異なり、観察者はフィルタ画像を別に用意する必要がなく、可視光下で容易に真偽判別することができるため、真偽判別性に優れた技術である。
【先行技術文献】
【特許文献】
【０００９】
【特許文献１】特許第４６８２２８３号公報
【特許文献２】特許第５２００２８４号公報
【発明の概要】
【発明が解決しようとする課題】
【００１０】
しかしながら、このスクランブルイメージや特許文献２記載の技術は、観察角度を変化させることにより、視認される画像が潜像画線（３）の配列方向（Ｓ１）に動いているように見えるという効果（以下、「動的効果」という。）を奏するものであったが、見える画像は、形成された模様等が複数の潜像画線（３）により構成されているため、図２０（ａ）に示すような原画像（２）がぼやけた状態として視認されてしまう。
【００１１】
また、この動的効果については、複数配列されている潜像画線（３）の配列方向に動きが制限されてしまう。例えば、図２５では、第１の方向（Ｓ１）となる左右方向に「桜の花」が動いて視認できるが、この左右方向に限定されてしまうことが、デザインに制限を及ぼすこととなり、動的効果をこのような位置変化以外の表現による新たな技術が求められていた。
【００１２】
本発明は、このような従来の課題を解決することを目的としたもので、観察角度を変化させることに伴い発現する画像の形状が変化する立体画像発現構造及びその構造を用いた形状変化印刷物を提供する。
【課題を解決するための手段】
【００１３】
本発明は、原画像が第１の方向に対して複数の領域に分割され、複数の領域に対して第１の方向又は第１の方向と垂直の第２の方向に分割した形状変化画線が万線状に所定のピッチで配置された形状変化画線群と、透明又は半透明のフィルタ画線が万線状に所定のピッチで配置されたフィルタ画線群とを含むセキュリティ印刷物を認証するための立体画像発現構造であって、形状変化画線群は、第１の画線幅の第１の画線が複数配置された第１の画線群と、第１の画線幅より細い第２の画線幅の第２の画線が複数配置された第２の画線群と、・・・、第（ｎ−２）の画線幅より細い第（ｎ−１）の画線幅の第（ｎ−１）の画線が複数配置された第（ｎ−１）の画線群と、第（ｎ−１）の画線幅より細い第ｎの画線幅の第ｎの画線が複数配置された第ｎの画線群（ｎは３以上の整数）から成り、第１の画線群から第ｎの画線群まで順次隣接して配置され、形状変化画線群とフィルタ画線群とを重ね合わせて観察角度を変化させることにより、原画像の形状が前記第１の方向に変形して視認可能なことを特徴とする立体画像発現構造である。
【００１４】
また、本発明の立体画像発現構造は、第１の画線、第２の画線、・・・、第（ｎ−２）の画線、第（ｎ−１）の画線及び第ｎの画線の少なくとも二つの連続する画線が同一位相方向に隣接して配置されたことを特徴とする。
【００１５】
また、本発明の立体画像発現構造は、第１の画線、第２の画線、・・・、第（ｎ−２）の画線、第（ｎ−１）の画線及び第ｎの画線の各々の画線が、第１の方向又は第２の方向に滑らかに画線幅が異なって形成されたことを特徴とする。
【００１６】
また、本発明は、基材上の少なくとも一部に立体画像を備え、立体画像は、明暗フリップフロップ性又はカラーフリップフロップ性の少なくともどちらか一方の特性を有する蒲鉾状画線が万線状に所定のピッチで配置された蒲鉾状画線群の上に、正反射時において蒲鉾状画線群の色彩とは異なる色彩を有し、原画像が第１の方向に対して複数の領域に分割され、複数の領域に対して第１の方向又は第１の方向と垂直の第２の方向に分割した形状変化画線が万線状に所定のピッチで配置された形状変化画線群が積層されており、形状変化画線群は、第１の画線幅の第１の画線が複数配置された第１の画線群と、第１の画線幅より細い第２の画線幅の第２の画線が複数配置された第２の画線群と、・・・、第（ｎ−２）の画線幅より細い第（ｎ−１）の画線幅の第（ｎ−１）の画線が複数配置された第（ｎ−１）の画線群と、第（ｎ−１）の画線幅より細い第ｎの画線幅の第ｎの画線が複数配置された第ｎの画線群（ｎは３以上の整数）から成り、第１の画線群から第ｎの画線群まで順次隣接して配置され、蒲鉾状画線群の少なくとも一部に、形状変化画線群の少なくとも一部が重なって形成され、正反射光下から拡散反射光下までの領域内で基材を観察角度を連続的に変化させて観察すると、立体画像が前記第１の方向に対して変形して見えることを特徴とする形状変化印刷物である。
【００１７】
また、本発明の立体画像発現構造は、第１の画線、第２の画線、・・・、第（ｎ−２）の画線、第（ｎ−１）の画線及び第ｎの画線の少なくとも二つの連続する画線が同一位相方向に隣接して配置されたことを特徴とする。
【００１８】
さらに、本発明の立体画像発現構造は、第１の画線、第２の画線、・・・、第（ｎ−２）の画線、第（ｎ−１）の画線及び第ｎの画線の各々の画線が、第１の方向又は第２の方向に滑らかに画線幅が異なって形成されたことを特徴とする。
【発明の効果】
【００１９】
本発明は、観察角度を変化させることに伴い、立体画像が滑らかに形状変化していく状態を確認することができる。
【図面の簡単な説明】
【００２０】
【図１】本発明の立体画像発現構造における形状変化画線群の構成を示す。
【図２】本発明の立体画像発現構造における原画像を示す。
【図３】本発明の立体画像発現構造における形状変化画線の配列を示す。
【図４】形状変化画線群の複数の態様を示す。
【図５】異なる形状変化画線群から一つの形状変化画線が形成された場合を示す。
【図６】別の形状変化画線群の例を示す。
【図７】本発明のフィルタ画線群の構成を示す。
【図８】第一の実施形態における形状変化画線群とフィルタ画線群の重ね合わせ状態及びその観察時における視認画像を示す。
【図９】別の形状変化画線群とフィルタ画線群の重ね合わせ状態及びその観察時における視認画像を示す。
【図１０】本発明の第二の実施形態における形状変化画線群を示す。
【図１１】本発明の形状変化印刷物における形状変化画線群の構成を示す。
【図１２】第二の実施形態における蒲鉾状画線群と形状変化画線群の位置関係を示す。
【図１３】第二の実施形態における観察原理を示す。
【図１４】実施例１における形状変化印刷物を示す。
【図１５】実施例１における立体画像の構成を示す。
【図１６】実施例１における蒲鉾状画線群を示す。
【図１７】実施例１における形状変化画線群を示す。
【図１８】実施例１における立体画像の効果を示す。
【図１９】実施例２における形状変化印刷物を示す。
【図２０】実施例２における立体画像の構成を示す。
【図２１】実施例２における蒲鉾状画線群を示す。
【図２２】実施例２における形状変化画線群を示す。
【図２３】実施例２における立体画像の効果を示す。
【図２４】従来の技術を示す。
【図２５】従来の技術の構造を示す。
【図２６】従来の技術の作製方法を示す。
【発明を実施するための形態】
【００２１】
（第一の実施形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２２】
まず、立体画像発現構造における形状変化画線群（１）の一例について図１を用いて説明する。図１（ａ）に形状変化画線群（１）を示す。形状変化画線群（１）は、複数の異なる画線幅から成る形状変化画線（３）から成り、図１（ａ）では、第１の画線群（２−１）〜第４の画線群（２−４）の四つの異なる画線幅からなる単位画線群（２）により構成されているが、これに限定されるものではなく、第１の画線群（２−１）、第２の画線群（２−２）、・・・、第（ｎ−１）の画線群（２−（ｎ−１））及び第ｎの画線群（２−ｎ）（ｎは３以上の整数）によって形成される。
【００２３】
図１（ｂ）は、図１（ａ）の点線囲いの領域の拡大図を示す。図１（ｂ）に示すように、第１の画線群（２−１）は、画線幅がＷ１でピッチがＰ１の第１の画線（３−１）が規則的に第１の方向（Ｓ１）に対して複数配列されている。なお、この第１の画線（３−１）は、画線幅（Ｗ１）とピッチ（Ｐ１）が等しい。したがって、図１（ｂ）に示すように、第１の画線（３−１）が複数配列された第１の画線群（２−１）は実質上ベタ印刷されたものと同じとなる。
【００２４】
この第１の画線群（２−１）の隣りに配置されているのが、同じ第１の方向（Ｓ１）に配列されている第２の画線群（２−２）であり、第１の画線（２−１）の画線幅（Ｗ１）よりも細い画線幅（Ｗ２）で、ピッチ（Ｐ１）は第１の画線群（２−１）に等しい。更に、第２の画線群（２−２）の隣りに配置されているのが、第１の方向（Ｓ１）に配列されている第３の画線群（２−３）であり、第２の画線（２−２）の画線幅（Ｗ２）よりも細い画線幅（Ｗ３）で、ピッチ（Ｐ１）は第１の画線群（２−１）に等しい。
【００２５】
このように、複数配列されて一つの画線群を構成している複数の画線は、異なる画線群間において、画線幅（Ｗ）が異なり、第１の画線（３−１）の画線幅（Ｗ１）から第ｎの画線（３−ｎ）の画線幅（Ｗｎ）へと徐々に細くなっている。したがって、各形状変化画線群（３）の画線幅（Ｗ）の関係は下記式のとおりである。
【００２６】
（式）第１の画線群（２−１）＞第２の画線群（２−２）＞、・・・、＞第（ｎ−１）の画線群（２−（ｎ−１））＞第ｎの画線群（２−ｎ）・・・（１）
【００２７】
なお、単位画線群（２）の配置については、図１（ａ）では左側から順番に第１の画線群（２−１）から第４の画線群（２−４）へとなっているが、これに限定されるものではなく、左側から順番に第４の画線群（２−４）から第１の画線群（２−１）へと配置しても良い。
【００２８】
図１（ａ）に示した形状変化画線群（１）は、図２に示した原画像（４）を基に複数の領域に分割している。この原画像（４）をいくつの領域に分割するかは、本発明における形状変化をどの程度のレベルで視認させたいかにより適宜設定すれば良い。図１では、「月」を原画像（４）とし、その原画像（４）を四つの領域に分け、それぞれの領域に対応するように、四つの単位画線群（２）がその領域に配置されている。なお、本発明において「原画像（４）を複数の領域に分割し、それぞれの領域に対応するように単位画線群（２）が配置される」とは、前述のとおり、単位画線群（２）は、それぞれ異なる画線幅から形成されており、その同じ画線幅から成る一つの単位画線群（２）が、複数の領域の中の一つの領域に配置され、別の画線幅から成る単位画線群（２）は、複数の領域の中の別の一つの領域に配置されるように、全て、異なる画線幅から成る単位画線群（２）が複数の領域の中の全て異なる領域内に別々に配置されることを言う。
【００２９】
図１（ｂ）に示したように、各画線は第１の方向（Ｓ１）に対して規則的に配列されているが、１本の画線が同じ画線幅（Ｗ）で形成されているものではなく、図１（ｂ）の点線囲い内に示したように、１本の画線内において画線幅（Ｗ）が異なる二つの画線が配置されていても良い。なお、図１（ｂ）では、各画線を第１の方向（Ｓ１）に万線状に配列しているが、後述する図６のように、第１の方向（Ｓ１）とは垂直の第２の方向（Ｓ２）に万線状に配列しても良い。詳細は後述する。
【００３０】
図３に、図１（ｂ）において点線で囲んだ領域の拡大図を示す。図３（ａ）に示すように、１本の画線が、第２の方向（Ｓ２）（画線が配列されている第１の方向（Ｓ１）に対して垂直となる画線の長手方向）に対して画線幅がＷ２の第２の画線（３−２）と画線幅がＷ３の第３の画線（３−３）によって形成されている。このように、原画像（４）を複数の領域に分割するのは、図３（ｂ）に示すように、複数の画線が配列される方向の第１の方向（Ｓ１）に対して、垂直方向となる第２の方向（Ｓ２）に対して引かれた仮想分割線（Ｙ−Ｙ’）を境界に、領域が分割されることで、１本の画線は全て同じ画線幅（Ｗ）から構成できる形態と、図３（ａ）に示すように、１本の画線内において画線幅（Ｗ）が異なるように、仮想分割線（Ｙ−Ｙ’）を第２の方向（Ｓ２）以外の方向に引いて分割する形態でも、どのように立体画像（５）を形状変化させて視認させるかにより分割方向も適宜設定すれば良い。
【００３１】
なお、図３（ａ）では、前述のとおり第２の方向（Ｓ２）に向かって二つの画線が隣接して配置されているが、第２の方向（Ｓ２）に限るものではなく、後述する図６では、第１の方向（Ｓ１）に二つの画線が隣接して配置されている。ただし、図３（ａ）も図６でも、共通点としては、二つの画線が同じ位相の方向において隣接して配置されていることである。
【００３２】
本発明において、「同じ位相方向に」とは、図３（ｂ）に示したＺ−Ｚ’を位相とし、その同じ位相上に異なる画線が配置される状態をいう。したがって、図３（ａ）も図６もどちらも同じ位相方向に隣接して異なる少なくとも二つの画線が配置されていることとなる。
【００３３】
第１の方向（Ｓ１）とは異なる方向に領域が分割されている場合について、１本の画線が複数の画線幅（Ｗ）を有する場合の様々な態様の例を図４に示す。図４（ａ）、（ｂ）、（ｃ）の画線は、階段状に画線幅（Ｗ）が異なる形状であり、図４（ａ）は、画線の一方の端は全て同一線上に配置され、画線幅（Ｗ）の差は他方の端側となっている。図４（ｂ）は、画線の中心が全て同一線上に配置されており、画線の両端に差が生じた形状である。図４（ｃ）は、図４（ａ）を反転した形状である。図４（ｄ）は、図４（ａ）、（ｂ）、（ｃ）の各画線を組み合わせた態様であり、Ｓ１方向、Ｓ２方向の形状変化の度合いを調整するために適宜組合せが可能である。ここでは３種類の画線を組み合わせたが多種類の画線を組み合わせることができる。また、図４（ａ）、（ｂ）、（ｃ）、（ｄ）は、一方向（図面上、下から上へ）に画線幅（Ｗ）が細くなっているが、図４（ｅ）は、第２の方向（Ｓ２）に対して中央部から両端へ向かって双方共画線幅（Ｗ）が細くなっている形状である。
【００３４】
また、図４（ｆ）、（ｇ）、（ｈ）は、連続的に滑らかな画線幅（Ｗ）の変化をした形状の例である。図４（ｆ）は、第２の方向（Ｓ２）に対して、一方の端から他方の端へ向かって連続的に画線幅（Ｗ）が細く変化した形状であり、図４（ｇ）は、第２の方向（Ｓ２）に対して中央部から両端へ向かって双方共画線幅（Ｗ）が細くなっている形状である。図４（ｈ）は、図４（ｇ）を反転した形状である。図４（ｉ）は、図４（ｆ）、（ｇ）、（ｈ）の各画線を組み合わせた態様であり、Ｓ１方向、Ｓ２方向の形状変化の度合いを調整するために適宜組合せが可能である。ここでは３種類の画線を組み合わせたが多種類の画線を組み合わせることができる。また、図４（ｆ）、（ｇ）、（ｈ）、（ｉ）は、一方向（図面上、下から上へ）に画線幅（Ｗ）が細くなっているが、図４（ｊ）は、第２の方向（Ｓ２）に対して中央部から両端へ向かって双方共画線幅（Ｗ）が細くなっている形状である。さらに、図４（ｋ）のように画線の輪郭を曲線状としてもよい。
【００３５】
なお、前述したとおり、画線幅（Ｗ）が異なる画線は、それぞれが単位画線として独立しているため、図４（ｆ）から（ｋ）までの滑らかに変化している画線は、どのように単位画線が形成されているかを、図５を用いて説明する。
【００３６】
図５は、図４（ｆ）〜（ｉ）で示した形状変化画線群（１）の１本を拡大した図であり、見た目の形状を図５（ａ）に示す。図５（ａ）に示すように、見た目には１本の画線が滑らかに図面上で下から上へ画線が細くなっているように見えるが、図５（ｂ）に構成を分かりやすくするためにパターン分けにより示したように、図５（ａ）に示した滑らかに変化した１本の画線は、第１の画線（３−１）の上に第２の画線（３−２）が重なり、更にその上に第３の画線（３−３）が重なった構成として形成されている。各画線の色が等しく、輪郭線が同一線上に形成されているため、見た目には１本の画線として視認される。他の図４（ｆ）から（ｈ）についても同様である。
【００３７】
連続的に画線幅（Ｗ）が変化する画線形状の場合、どの箇所をその画線の幅（Ｗ）とするかについては、形状変化画線（３）の画線幅（Ｗ）の平均値をもって、当該画線の画線幅（Ｗ）とする。したがって、図５（ｂ）に示すように、第１の画線（３−１）の画線幅（Ｗ１）は、画線の中心に当たる箇所をいい、同様に、第２の画線（３−２）及び第３の画線（３−３）のそれぞれの画線幅も、画線の中心となる箇所を画線幅（Ｗ２、Ｗ３）とする。したがって、本発明において、形状変化画線（３）の画線幅（Ｗ）が１本の中で変化している場合には、その画線内における平均値をもって画線幅（Ｗ）とする。
【００３８】
連続的に画線幅（Ｗ）を変化させた形状の画線を用いた例を図６に示す。図６（ａ）に示す原画像（４）が「蝶」の模様であり、その羽の部分が形状変化画線群（１）により形成されている。この形状変化画線群（１）は、画線幅（Ｗ）の異なる三つの単位画線群（２）から構成されており、図面上、点線で示唆した箇所を境界として配置されている。蝶の模様の中央から第１の画線群（２−１）、その隣に第２の画線群（２−２）、更にその隣に第３の画線群（２−３）が配置されている。それぞれの単位画線群（２）は、ピッチ（Ｐ１）が等しく、位相も等しいため、目視上、１本の画線が複数第１の方向（Ｓ１）に配列されているように視認されるが、前述のとおり、三つの画線幅（Ｗ）の異なる画線が配置されており、蝶の模様の中央から画線幅（Ｗ）の太い第１の画線（３−１）、その隣に第１の画線（３−１）よりも細い第２の画線（３−２）、更にその隣に第２の画線（３−２）よりも細い第３の画線（３−３）が形成されている。
【００３９】
この三つの単位画線群（２）を構成している各画線は、同じ位相（Ｚ−Ｚ’）方向に配置されているため、１本の画線として視認できるような形状となっているが、各画線群は、第２の方向（Ｓ２）に万線状に配列されている。前述の図３（ａ）では、単位画線群（２）は第１の方向（Ｓ１）に万線状に配列されていたことで説明したが、図６（ｂ）では、第２の方向（Ｓ２）に万線状に配列されていることとなる。
【００４０】
図６に示すように、形状変化画線（３）が滑らかに連続的に変化した模様を形成すると、後述するフィルタ画線群（６）を形状変化画線群（１）の上に載せ、観察角度を変化させると、蝶の羽が滑らかに動いているように視認することができる。フィルタ画線群（６）を形状変化画線群（１）の上に重ねる場合には、双方の単位画線群（２）が万線状に配列されている方向同士を重ねれば良い。
【００４１】
次に、本発明を構成する立体画像発現構造を実現する上で、形状変化画線群（１）と対を成し、原画像（４）を立体的、かつ、その形状を変化させて再生するために必要となるフィルタ画線群（６）について説明する。図７（ａ）にフィルタ画線群（６）の平面図、図７（ｂ）にそのＸ−Ｘ’断面図を示す。フィルタ画線群（６）は、図７（ａ）に示すように、前述の形状変化画線群（１）の各形状変化画線（３）と対を成すフィルタ画線（７）が第１の方向（Ｓ１）に万線状に配置されて成る。また、図７（ｂ）に示すように、各フィルタ画線（７）は、所定の高さを有している。このフィルタ画線（７）の画線高さについては、特に限定されるものではなく、一般的に市販されている公知のレンチキュラーレンズと同様の形状である。なお、図７（ａ）では、図面上分かりやすいように、黒色で図示しているが、本発明におけるフィルタ画線群（６）は、透明又は半透明であるため、実際には、ほぼ視認できない色彩となっている。
【００４２】
本発明において、形状変化画線（３）とフィルタ画線（７）が対を成すとは、形状変化画線群（１）の上にフィルタ画線群（６）を重ね合わせる際に、一つの形状変化画線（３）に対して一つのフィルタ画線（７）が配置されることである。したがって、対を成す形状変化画線（３）とフィルタ画線（７）が配列されている形状変化画線群（１）とフィルタ画線群（６）のピッチ（Ｐ１）は同じとなっている。また、フィルタ画線（７）の画線幅（Ｔ）は、単位画線群（２）においてそれぞれ画線幅（Ｗ）が異なっていることから、ピッチ（Ｐ１）よりも細く、かつ、最も太い画線幅（Ｗ）を有する形状変化画線（３）の画線幅（Ｗ）と同じであれば良い。
【００４３】
したがって、図１に示した形状変化画線群（１）に対するフィルタ画線群（６）の画線幅（Ｔ）は、最も太い形状変化画線（３）は、第１の画線（３−１）ではあるが、ピッチ（Ｐ１）と等しい画線幅（Ｗ１）であるため、次に太い画線幅（Ｗ）は、第２の画線（３−２）となるため、その画線幅（Ｗ２）と等しいフィルタ画線（７）の画線幅（Ｔ）となる。
【００４４】
本発明における万線状に配置された形状変化画線群（１）のピッチ（Ｐ１）と、フィルタ画線群（６）のピッチ（Ｐ１）は０．０５ｍｍ以上１．０ｍｍ以下で形成する。０．０５ｍｍ以下のピッチは、一般的な印刷で再現できる画線のピッチとしてはほぼ限界のピッチであり、印刷物品質の安定性に欠ける上に、たとえ０．０５ｍｍ以下のピッチで画線を形成できた場合でも、ほとんどの場合、出現する立体画像（５）の視認性が極端に低下するため好ましくない。また、逆に１．０ｍｍ以上のピッチで形成した場合には、立体画像（５）として再現できる画像の解像度が極端に低下してしまうため、同様に好ましくない。
【００４５】
なお、それぞれの画線の幅（Ｗ、Ｔ）については、前述のピッチ（Ｐ１）よりも細ければ特に限定はない。また、フィルタ画線群（６）については、前述のとおり、立体画像を発現させることが出来れば良く、少なくとも形状変化画線群（１）を覆う範囲のフィルタ画線群（６）となっていれば良い。
【００４６】
続いて、本発明の形状変化画線群（１）とフィルタ画線群（６）を重ね合わせた場合の効果について説明する。図８（ａ）に示すように、それぞれ対を成す形状変化画線（３）とフィルタ画線（７）が同じ第１の方向に対してほぼ重なるように、形状変化画線群（１）とフィルタ画線群（６）を重ね合わせる。
【００４７】
まず、観察者の視点が図８（ａ）において基材（２）面に対して垂直方向の真上（８−１）からで観察すると、フィルタ画線（７）の画線幅（Ｔ）よりも画線幅（Ｗ）の狭い形状変化画線（３）によって形成されている単位画線群（２）は視認できないため、図８（ｂ）に示すように、フィルタ画線（７）の画線幅（Ｔ）よりも画線幅（Ｗ）の太い第１の画線群（２−１）から成る「月形状（ア）」の形状として視認される。その観察者の視点（８）を連続的に基材（２）面に対して斜め方向（８−２）へと変化させていくと、形状変化画線（３）の画線幅（Ｗ）が細くなる順に視認されていき、図８（ｃ）のような「月形状（イ）」のように視認でき、更に観察角度を基材（２）面に近付けて（８−２）いくと図８（ｄ）のような「月形状（ウ）」を経て、図８（ｅ）のような全ての形状変化画線（３）から成る「月形状（エ）」となって視認できる。
【００４８】
この状況により、観察者には、観察角度を第１の方向（Ｓ１）に対して連続的に繰り返し変化させていくと、立体画像（５）である「月」の幅方向の形状が「月形状（ア）」から「月形状（エ）」へ、連続的に形状が変化しているように視認されることとなる。
【００４９】
また、図９に示すように、原画像（４）が「蝶」の形状において、図９（ａ）に示すように、各単位画線群（２）の形状を等しくしながら大きさを変えて形状変化画線群（１）を形成し、その上に図９（ｂ）のように、フィルタ画線群（６）を載せると、図８の「月」のような形状の変化とは異なり、図９（ｃ）の小さな「蝶」から、観察角度を連続的に変化させると、図９（ｄ）に示すように、少し大きい「蝶」に変化して視認され、更に観察角度を連続的に変化させていくと、図９（ｅ）に示すように、最も大きな形状の「蝶」となって視認できる。このように、同じ輪郭形状を有するように、第１の方向（Ｓ１）及び第２の方向（Ｓ２）に連続的に画線幅（Ｗ）を異ならせた単位画線群（２）を配置すると、同じ形状の立体画像（５）の大きさが変化して視認できるようになる。
【００５０】
（第二の実施形態）
続いて、第二の実施形態として、前述の立体画像発現構造を応用して作製する形状変化印刷物（９）（以下、「印刷物」という。）について説明する。この立体画像発現構造とは、正反射光下において原画像（４）にあたる立体画像（５）が再生され、かつ、観察角度を変化させることで再生された原画像の形状が、縮小又は拡大して変化するように見える。基本的には、前述の立体画像発現構造の形状変化画線群（１）とフィルタ画線群（６）とを一体化した技術であり、フィルタ画線群（６）と同じ模様を盛り上がりのある蒲鉾状の画線で形成し、その上に形状変化画線群（１）を重ねて形成する。前述の立体画像発現構造とは異なり、観察者は、フィルタ画像を別に用意する必要がなく、可視光下で容易に真偽判別することができるため、真偽判別性に優れた技術である。
【００５１】
図１０に、本発明の印刷物（９）を示し、図１０（ａ）は真上からの模式図、図１０（ｂ）は、そのＸ−Ｘ’ラインにおける断面図を示す。印刷物（９）は、基材（１０）上に立体画像（５’）を備える。基材（１０）は、立体画像（５’）が形成できれば、紙、プラスチック又は金属等、特に材質に限定はない。また、立体画像（５’）は、透明であっても、着色されていても良く、その色彩は問わない。
【００５２】
図１１に立体画像（５’）の構成の概要を示す。立体画像（５’）は、前述の立体画像発現構造におけるフィルタ画線群（６）にあたる蒲鉾状画線群（６’）と、立体画像発現構造における形状変化画線群（１’）が重なって形成されて成る。立体画像（５’）の積層構造は、蒲鉾状画線群（６’）の上に形状変化画線群（１’）が重なる構造を有している。
【００５３】
第二の実施形態において、印刷物（９）の蒲鉾状画線群（６’）の構成は、第一の実施形態で用いたフィルタ画線群（６）と同じ模様を用い、印刷物（９）の形状変化画線群（１’）の構成は、前述の図１の形状変化画線群（１）と同じ「月」の模様を用いた例で説明する。
【００５４】
まず、蒲鉾状画線群（６’）について説明する。前述のとおり、第１の実施形態で用いられたフィルタ画線群（６）と同じ模様を用いているが、フィルタ画線群（６）におけるフィルタ画線（７）と、本印刷物（９）における蒲鉾状画線群（６’）の違いとは、蒲鉾状画線群（６’）は、図１２（ｂ）に示すように、高さ方向に一定の盛り上がりを必要とすることと、後述する光学特性が必要なことであり、平面構造については、フィルタ画線（７）と同じである。
【００５５】
このような構成の蒲鉾状画線群（６’）を、印刷画線に盛り上がりを形成できる印刷方式によって形成する。出現する立体画像に一定の視認性を確保するためには、蒲鉾状画線（７’）の盛り上がり高さは３μｍ以上が必要であるため、スクリーン印刷、凹版印刷及びＵＶ−ＩＪＰで形成することが望ましいが、グラビア印刷やフレキソ印刷、凸版印刷等であっても、この程度の画線の盛り上がり高さを形成することは可能である。また、盛り上がりの高さの上限に関しては、特に制限はないが、印刷物を大量に積載した場合の安定性や耐摩耗性及び流通適性等を考慮すると、１ｍｍ以下とする。
【００５６】
また、蒲鉾状画線（７’）は、明暗フリップフロップ性又はカラーフリップフロップ性を備える必要がある。明暗フリップフロップ性とは、正反射した場合に明度が上昇する特性を指し、カラーフリップフロップ性とは、色相が変化する特性を指す。すなわち、蒲鉾状画線（７’）は、光が入射した場合に、明度や色相が変化することで、色彩が大きく変化する特性を有する必要がある。色彩の変化の大きさが大きければ大きいほど、出現する立体画像の視認性は高くなる。
【００５７】
前述のような盛り上がりを有する蒲鉾状画線（７’）に明暗フリップフロップ性を付与する方法の一例としては、高光沢なインキ樹脂を用いたり、インキ中に金属顔料を混合したりすることで容易に実現することができる。カラーフリップフロップ性を付与できる機能性材料の一例としては、パール顔料やコレステリック液晶、ガラスフレーク顔料、漢族粉顔料や鱗片状金属顔料等が考えられる。
【００５８】
続いて、形状変化画線群（１’）について説明する。前述した図２に示した原画像（４）を３つの領域に分割した形状変化画線群（１’）を用いた。形状変化画線群（１’）には盛り上がりは必須ではないため、如何なる印刷方式で形成しても良い。生産性を考えれば、オフセット印刷で形成することが最も望ましい。正反射光下で視認困難となっていた形状変化領域を可視化するために、形状変化画線（３’）は正反射時に蒲鉾状画線（７’）との間に色差が生じる必要があり、少なくとも反射時の色彩が蒲鉾状画線（７’）の正反射時の色彩と異なっている必要がある。
【００５９】
また、形状変化画線群（１’）、特にその中の形状変化画線（３’）は、蒲鉾状画線（７’）の上に重ねて形成されるために、形状変化画線（３’）下の蒲鉾状画線（７’）に入射する光を遮断し、正反射光下で生じる蒲鉾状画線（７’）の色彩変化を抑制する働きを成す。したがって、形状変化画線（３’）が重なっているか否かによって、蒲鉾状画線（７’）の正反射時に色彩により大きな違いが生じるため、立体画像（５’）の視認性をより高めるためには、形状変化画線（３’）は高い光遮断性を備えていることが望ましい。
【００６０】
そのため、形状変化画線（３’）を印刷で形成する場合には、低光沢なマットインキを用いることが望ましい。また、これらのインキにチタンのような光遮断性の高い機能性材料を配合すると、より高い効果を得ることができる。
【００６１】
また、形状変化画線（３’）は、版面を用いる印刷機で形成するだけでなく、プリンター等のデジタル印刷機を用いて形成しても良い。また、形状変化画線（３’）にあたる模様を、蒲鉾状画線（７’）を切削して形成することもできる。このような切削は、レーザ加工機を用いることで容易に実施することができる。レーザが照射された蒲鉾状画線（７’）は、多くの場合、明暗フリップフロップ性やカラーフリップフロップ性が失われるか、又は大きく低下するために、本発明で形状変化画線（３’）に必要とする特性を付与することができる。これらのプリンターやレーザ加工機を用いる場合には、一枚一枚異なる情報を与える可変情報を容易に付与できるという特徴がある。
【００６２】
本発明における印刷物（９）は、蒲鉾状画線（７’）の上に形状変化画線（３’）を重ねて形成するが、この二つの画線群の重ね合わせの位置関係について説明する。図１２は、蒲鉾状画線群（６’）と形状変化画線群（１’）の二つの画線群の重なり合いの適正な位置関係を示す。印刷物（９）において、まず、ピッチ（Ｐ１）と画線幅（Ｗ１）が等しいことから実質上はベタ刷りとなって形成された第１の画線群（２−１）が蒲鉾状画線（７’）の上に重なる場合、一部拡大断面図の図１２（ｂ）に示すように、特に蒲鉾状画線（７’）との刷り合わせは問題なく、蒲鉾状画線（７’）を全体的に覆うように第１の画線（３’−１）がベタ刷りにより配置される。ここで重要なことは、立体画像（５’）の形状を観察角度の変化に伴い変形させる役割を担う形状変化画線（３’）との重なる位置関係である。
【００６３】
蒲鉾状画線（７’）と形状変化画線（３’）の重なり合いについては、二つの画線が単に重なれば良いのではなく、それぞれ一対に対応した蒲鉾状画線（７’）と形状変化画線（３’）同士が重なる必要がある。つまり、図１２（ｂ）の拡大断面図の右側二つに示したように、それぞれの蒲鉾状画線（７’）に対して、それぞれ対を成す関係にある形状変化画線（３’−２）がそれぞれ重なり合う位置関係が、本発明における最も適正な重ね合わせの位置関係である。なお、図１２（ａ）の点線囲の拡大図のように、１本の画線内で画線幅（Ｗ）が異なる場合にも、図１２（ｃ）に示すように、蒲鉾状画線（７’）に形状変化画線（３’）が重なって配置されることとなる。
【００６４】
蒲鉾状画線群（６’）と形状変化画線群（１’）の位置関係については、印刷時の刷り合わせの変動（アバレ）によっては適正な位置関係から外れる可能性もある。このような場合でも、それぞれ対と成る関係の蒲鉾状画線（７’）と実質上ベタ刷りの第１の画線（３’−１）以外の形状変化画線（３’−２、３’−３、・・・、３’−ｎ）が少なくとも一部重なった状態であれば、本発明の効果は発揮される。
【００６５】
次に、本第二の実施形態における印刷物（９）の効果について説明するが、前述した第一の実施形態で既に説明した効果と同様、所定の角度で視認された原画像（４’）が、観察角度の変化に伴い形状も変化して視認することができる。この形状変化の態様については、例えば、前述した図８のような「月」の形状変化や、図９のような「蝶」の大小の変化である。
【００６６】
このような効果が生じる原理については図１３を用いて説明する。図１３（ａ）に示すように、基材（１０）上に蒲鉾状画線（７’）が万線状に配列され、各蒲鉾状画線（７’）に対となって形状変化画線（３’）が積層されている状態である。
【００６７】
蒲鉾状画線（７’）のような盛り上がりを有する画線が光を反射する場合、入射する光（１１）に対して入射光と法線を成す画線表面を中心に光を反射しており、言い換えれば、入射する光の角度に応じて、盛り上がりを有する画線表面のうち、強く光を反射する領域は変化している。
【００６８】
蒲鉾状画線（７’）の表面には、形状変化画線（３’）が形成されていることから、蒲鉾状画線（７’）が光を強く反射した場合には、その画線上に重ねられた形状変化画線（３’）と蒲鉾状画線（７’）とは異なる色彩に変化し、それまで隠蔽されていた形状変化画線（３’）が色彩の違いによって明確に可視化される。
【００６９】
この場合、可視化される形状変化画線（３’）は、蒲鉾状画線（７’）のうち光を強く反射した領域に重ねられて形成されていた形状変化画線（３’）のみであり、それ以外の領域に重ねられて形成されていた形状変化画線（３’）は、隠蔽されたままとなる。このため、光が入射した場合、蒲鉾状画線（７’）には、その画線表面の一部にのみ、光を強く反射する領域が形成されるため、この光を強く反射した領域の上に重ねられた形状変化画線（３’）のみがサンプリングされて可視化される。このサンプリングの仕組みは、前述の立体画像発現構造における形状変化画線群（１）にフィルタ画線群（６）を重ねた場合と同じであるため、サンプリングの結果、原画像（４）の輪郭と同じに再現される。
【００７０】
観察者の視点（８）が動いたり、印刷物（９）を傾けたりした場合には、光が入射する角度が変化するために、蒲鉾状画線（７’）の表面のうち、光を反射する領域も移動し、それに伴って形状変化画線（３’）のサンプリングされる領域も移動することで、観察者には出現した原画像（４）の形状が変化しているように見える。
【００７１】
また、印刷物（９）に正対して観察した場合、右眼と左眼とでは、入射した光が印刷物で反射して眼に入る角度がわずかに異なるため、蒲鉾状画線（７’）の光を反射する画線表面もわずかに異なっている。このため、出現する立体画像（５）は、右眼から見た場合と左眼から見た場合では、水平方向の位相が異なり、これによって両眼視差に起因する立体的な視覚効果が生じる。
【００７２】
例えば、立体画像（５）が右眼から見た場合よりも左眼から見た場合の方が、右にある場合には立体画像（５）は印刷物の表面よりも手前にあるように感じられる。逆に立体画像（５）が右眼から見た場合よりも左眼から見た場合の方が、左にある場合には立体画像（５）は印刷物の表面よりも奥にあるように感じられる。
【００７３】
したがって、この印刷物（９）を基材（１０）に対して拡散反射光領域となる真上から観察（８）した場合、図１３（ｂ）に示すように、画線幅（Ｗ）の最も広い第１の画線（３’−１）が視認でき、その第１の画線群（２’−１）により構成されている「月形状（ア）」となって視認できる。次に観察角度を変化させて、図１３（ｃ）に示す観察位置（８）から観察すると、第１の画線（３’−１）及び第２の画線（３’−２）が視認でき、その二つの画線群（２’−１、２’−２）により構成されている「月形状（イ）」となって視認できる。更に観察角度を正反射光領域まで変化させ、図１３（ｄ）に示す観察位置（８）から観察すると、第１の画線（３’−１）、第２の画線（３’−２）及び第３の画線（３’−３）が視認でき、その三つの画線群（２’−１、２’−２、２’−３）により構成されている「月形状（ウ）」となって視認できる。
【００７４】
このような視覚効果を生じさせるためには、観察者から見て水平方向となる第１の方向（Ｓ１）に形状が変化して見える効果が必須であるため、蒲鉾状画線（７’）を垂直方向に近い角度（より具体的には観察者の左右の眼を結んだ方向と直交する方向）で並べた方が、この効果は高くなる。
【００７５】
以上が、本印刷物（９）において、印刷物（９）が光を強く反射した場合に、立体画像（５）として原画像（４）が出現し、形状変化と立体的な視覚効果が生じる原理である。
【００７６】
以下、前述の発明を実施するための形態にしたがって、具体的に作製した印刷物（９）の実施例について詳細に説明するが、本発明は、この実施例に限定されるものではない。
【実施例１】
【００７７】
図１４に、本発明の実施例１における印刷物（９’）を示す。なお印刷物（９’）には、立体画像（５’）以外に、料額やロゴマーク等の他の印刷模様等が印刷されている。基材（１０’）は、一般的な白色コート紙（日本製紙製）を用いた。立体画像（５’）は拡散反射光下では黒色に視認される色彩で構成した。
【００７８】
図１５（ａ）に立体画像（５’）の構成の概要を示す。立体画像（５’）は、蒲鉾状画線群（６’）と形状変化画線群（１’）を図１５（ｂ）に示すように、基材（１０’）上に重ねて構成した。立体画像（５’）の積層構造は、蒲鉾状画線群（６’）の上に形状変化画線群（１’）が重なる構造とした。さらに、形状変化画線群（１’）は、複数の単位画線群（２’）から構成されている。本実施例１では、第１の画線群（２’−１）、第２の画線群（２’−２）及び第３の画線群（２’−３）の三つの単位画線群（２’）により構成されている。また、原画像（４）は、「月」とした。
【００７９】
まず、蒲鉾状画線群（６’）について図１６を用いて説明する。蒲鉾状画線群（６’）は、画線幅（Ｔ’）０．４ｍｍの蒲鉾状画線（７’）を第１の方向（Ｓ１）にピッチ（Ｐ１’）０．６ｍｍで万線状に形成した。
【００８０】
以上のような構成の蒲鉾状画線群（６’）を、表１に示すＵＶ乾燥型のスクリーンインキを用いて、スクリーン印刷によって基材（１０’）に印刷した。表１に示すインキは、拡散反射光下では着色顔料の色である黒色に見えるが、正反射光下では虹彩色パール顔料の干渉色である金色に変化する、優れたカラーフリップフロップ性を備えたインキである。このインキによって形成した蒲鉾状画線（７’）の盛り上がり高さ（ｈ）は、約１０μｍであった。
【００８１】
【表１】
2016093888.tif 000003
【００８２】
続いて、形状変化画線群（１’）について図１７を用いて説明する。図１７に示すのは、形状変化画線群（１’）及びその一部を抜粋し、拡大して示したものである。この形状変化画線群（１’）は、前述したとおり、第１の画線群（２’−１）、と第２の画線群（２’−２）及び第３の画線群（２’−３）の三つの単位画線群（２’）から構成されている。
【００８３】
第１の画線群（２’−１）は、画線幅（Ｗ１’）０．６ｍｍの第１の画線（３’−１）が第１の方向（Ｓ１）に、ピッチ（Ｐ１’）が０．６ｍｍで万線状に配置されており、実質上ベタ刷り印刷されている状態と同じである。また、第２の画線群（２’−２）は、画線幅（Ｗ２’）０．４ｍｍの第２の画線（３’−２）が第１の方向（Ｓ１）に、ピッチ（Ｐ１’）が０．６ｍｍで万線状に第１の画線群（２’−１）に対して図面上の右側に隣接して配置されている。さらに、第３の画線群（２’−３）は、画線幅（Ｗ３’）０．２ｍｍの第３の画線（３’−３）が第１の方向（Ｓ１）に、ピッチ（Ｐ１’）が０．６ｍｍで万線状に第２の画線群（２’−２）に対して図面上の右側に隣接して配置されている。したがって、本実施例１では、三つの画線（３’−１、３’−２、３’−３）の画線幅（Ｗ１’、Ｗ２’、Ｗ３’）は０．２ｍｍずつ異なっており、ピッチ（Ｐ１’）は全て同じとなっている。
【００８４】
以上の構成の形状変化画線群（１’）を、透明なマットインキ（マットメジウム  Ｔ＆Ｋ  ＴＯＫＡ製）を用いてドライオフセット印刷方式で、それぞれの形状変化画線（３’）が対を成す蒲鉾状画線（７’）に重ね合わせて、印刷物（９’）を形成した。
【００８５】
以上の手順で作製した本発明の印刷物（９’）の効果について説明する。図１８に本発明の効果を示す。印刷物（９’）に対して観察者の視点（８）を拡散反射光下とすると、最も広い画線幅（Ｗ１’）を有する第１の画線群（２’−１）が視認でき、図１８（ａ）に示す「月形状（ア）」として確認できる。そこから徐々に観察角度を連続的に正反射光下へと変化させていった時、次に画線幅（Ｗ２’）の広い第２の画線群（２’−２）までが視認できるため、図１８（ｂ）に示すような「月形状（イ）」が確認できる。さらに観察角度を正反射光下へと連続的に変化させると、一番画線幅（Ｗ３’）の狭い第３の画線群（２’−３）までが視認できるため、図１８（ｃ）に示すような「月形状（ウ）」が確認できる。
【００８６】
また、観察角度を連続的に元の位置に変化させていった時、前述した図１８（ｃ）に示す「月形状（ウ）」から図１８（ｂ）の「月形状（イ）」へ、更に図１８（ｃ）の「月形状（ア）」へ視認される立体画像（５’）は変化して視認できた。
【００８７】
以上のように、本発明の印刷物（９’）に対して、徐々に観察角度を連続的に変化させていった時、立体画像（５’）は、基材（１０’）に対して水平方向（第１の方向（Ｓ１））及び垂直方向（第２の方向（Ｓ２））に原画像（４’）の「月」が月形状（ア）から月形状（ウ）へ形状が変化しているように視認できた。
【実施例２】
【００８８】
図１９に、本発明の実施例１における印刷物（９’）を示す。なお印刷物（９’）には、立体画像（９’）以外に、料額やロゴマーク等の他の印刷模様等が印刷されている。基材（１０’）は、一般的な白色コート紙（日本製紙製）を用いた。立体画像（５’）は拡散反射光下では赤色に視認される色彩で構成した。
【００８９】
図２０（ａ）に立体画像（５’）の構成の概要を示す。立体画像（５’）は、蒲鉾状画線群（６’）と形状変化画線群（１’）を図２０（ｂ）に示すように、基材（１０’）上に重ねて構成した。立体画像（５’）の積層構造は、蒲鉾状画線群（６’）の上に形状変化画線群（１’）が重なる構造とした。さらに、形状変化画線群（１’）は、複数の単位画線群（２’）から構成されている。本実施例２では、第１の画線群（２’−１）、第２の画線群（２’−２）及び第３の画線群（２’−３）の三つの単位画線群（２’）により構成されている。また、原画像（４）は、「蝶」とした。
【００９０】
まず、蒲鉾状画線群（６’）について図２１を用いて説明する。蒲鉾状画線群（６’）は、画線幅（Ｔ’）０．４ｍｍの蒲鉾状画線（７’）を第１の方向（Ｓ１）にピッチ（Ｐ１’）０．６ｍｍで万線状に形成した。
【００９１】
以上のような構成の蒲鉾状画線群（６’）を、前述の表１に示したＵＶ乾燥型のスクリーンインキを用いて、スクリーン印刷によって基材（１０’）に印刷した。表１に示すインキは、拡散反射光下では着色顔料の色である黒色に見えるが、正反射光下では虹彩色パール顔料の干渉色である金色に変化する、優れたカラーフリップフロップ性を備えたインキである。このインキによって形成した蒲鉾状画線（７’）の盛り上がり高さ（ｈ）は、約１０μｍであった。
【００９２】
続いて、形状変化画線群（１’）について図２２を用いて説明する。図２２に示すのは、形状変化画線群（１’）を拡大して示したものである。この形状変化画線群（１’）は、前述したとおり、第１の画線群（２’−１）、と第２の画線群（２’−２）及び第３の画線群（２’−３）の三つの単位画線群（２’）から構成されている。
【００９３】
第１の画線群（２’−１）は、画線幅（Ｗ１’）０．５２５ｍｍ（０．６ｍｍから０．４５ｍｍ）の第１の画線（３’−１）が第２の方向（Ｓ２）に、ピッチ（Ｐ１’）０．６ｍｍで配置されている。また、第２の画線群（２’−２）は、画線幅（Ｗ２’）０．３７５ｍｍ（０．４５ｍｍから０．３０ｍｍ）の第２の画線（３’−２）が第２の方向（Ｓ２）に、ピッチ（Ｐ１’）が０．６ｍｍで第１の画線群（２’−１）に対してＳ１の方向に隣接して配置されている。さらに、第３の画線群（２’−３）は、画線幅（Ｗ３’）０．２２５ｍｍ（０．３０ｍｍから０．１５ｍｍ）の第３の画線（３’−３）が第２の方向（Ｓ２）に、ピッチ（Ｐ１’）が０．６ｍｍで第２の画線群（２’−２）に対してＳ１の方向に隣接して配置されている。したがって、本実施例２では、三つの画線（３’−１、３’−２、３’−３）の画線幅（Ｗ１’、Ｗ２’、Ｗ３’）は０．１５ｍｍから０．６０ｍｍに連続的に変化し、ピッチ（Ｐ１’）は全て同じとなっている。
【００９４】
以上の構成の形状変化画線群（１’）を、透明なマットインキ（マットメジウム、Ｔ＆Ｋ  ＴＯＫＡ製）に赤色インキ（ＵＶ  ＶＥＣＴＡ  カートン  紅Ｍ、Ｔ＆Ｋ  ＴＯＫＡ製）を微量加えたインキを用いてドライオフセット印刷方式で、それぞれの形状変化画線（３’）が対を成す蒲鉾状画線（７’）に重ね合わせて、印刷物（９’）を形成した。
【００９５】
以上の手順で作製した本発明の印刷物（９’）の効果について説明する。図２３に本発明の効果を示す。印刷物（９’）に対して観察者の視点（８）を拡散反射光下とすると、最も広い画線幅（Ｗ１’）を有する第１の画線群（２’−１）が視認でき、図２３（ａ）に示す「蝶形状（ア）」として確認できる。そこから徐々に観察角度を連続的に正反射光下へと変化させていった時、次に画線幅（Ｗ２’）の広い第２の画線群（２’−２）までが視認できるため、図２３（ｂ）に示すような「蝶形状（イ）」が確認できる。さらに観察角度を正反射光下へと連続的に変化させると、一番画線幅（Ｗ３’）の狭い第３の画線群（２’−３）までが視認できるため、図２３（ｃ）に示すような「蝶形状（ウ）」が確認できる。なお、画線幅はＳ１方向の変化に加え、特にＳ２方向に連続的に変化しているため、蝶形状（ア）から蝶形状（ウ）への変化はより滑らかに視認できる。また、形状変化画線群（１’）を赤色のインキで印刷したため色彩豊かな変化が確認できる。
【００９６】
また、観察角度を連続的に元の位置に変化させていった時、前述した図２３（ｃ）に示す「蝶形状（ウ）」から図２３（ｂ）の「蝶形状（イ）」へ、更に図２３（ｃ）の「蝶形状（ア）」へと視認される立体画像（５’）は変化して視認できた。
【００９７】
以上のように、本発明の印刷物（９’）に対して、徐々に観察角度を連続的に変化させていった時、立体画像（５’）は、基材（１０’）に対して水平方向（第１の方向（Ｓ１））及び垂直方向（第２の方向（Ｓ２））に原画像（４’）の「蝶」が蝶形状（ア）から蝶形状（ウ）へと形状が変化しているように視認できた。
【符号の説明】
【００９８】
１      形状変化画線群
２      単位画線群
３      形状変化画線
４      原画像
５      立体画像
６      フィルタ画線群、蒲鉾状画線群
７      フィルタ画線、蒲鉾状画線
８      観察視点
９      形状変化印刷物
１０    基材
１１    光源
Ｗ１、Ｗ２、Ｗ３、Ｔ      画線幅
Ｐ１    ピッチ
Ｓ１    第１の方向
Ｓ２    第２の方向
【図１】
2016093888.tif 000004
【図２】
2016093888.tif 000005
【図３】
2016093888.tif 000006
【図４】
2016093888.tif 000007
【図５】
2016093888.tif 000008
【図６】
2016093888.tif 000009
【図７】
2016093888.tif 000010
【図８】
2016093888.tif 000011
【図９】
2016093888.tif 000012
【図１０】
2016093888.tif 000013
【図１１】
2016093888.tif 000014
【図１２】
2016093888.tif 000015
【図１３】
2016093888.tif 000016
【図１４】
2016093888.tif 000017
【図１５】
2016093888.tif 000018
【図１６】
2016093888.tif 000019
【図１７】
2016093888.tif 000020
【図１８】
2016093888.tif 000021
【図１９】
2016093888.tif 000022
【図２０】
2016093888.tif 000023
【図２１】
2016093888.tif 000024
【図２２】
2016093888.tif 000025
【図２３】
2016093888.tif 000026
【図２４】
2016093888.tif 000027
【図２５】
2016093888.tif 000028
【図２６】
2016093888.tif 000029